(57)【特許請求の範囲】
【請求項１】
撮影レンズのレンズ鏡胴の先端部に設けられた鏡胴側装着部と、前面アクセサリの後端部に設けられたアクセサリ側装着部とからなり、前記鏡胴側装着部と前記アクセサリ側装着部とを着脱することにより、前記前面アクセサリを前記レンズ鏡胴の先端部に着脱可能にした撮影レンズにおける前面アクセサリの着脱機構において、
前記アクセサリ側装着部は、アクセサリ側筒体と、該アクセサリ側筒体の内周面側に突出形成された係止部材と、を有し、
前記鏡胴側装着部は、前記アクセサリ側筒体の内側に配置される鏡胴側筒体と、
該鏡胴側筒体の外周面の周方向に形成され、前記係止部材と係合して前記係止部材を係止する係止溝と、
前記鏡胴側筒体の外周面に形成され、前記鏡胴側筒体の先端面から前記係止溝まで延在する溝であって、前記係止部材を前記撮影レンズの光軸方向に移動させて前記係止溝まで導くガイド溝と、を有し、
前記係止部材が前記ガイド溝を移動した後、周方向に回転して前記係止溝に係合することにより前記前面アクセサリが前記レンズ鏡胴の先端部に装着されると共に、
前記アクセサリ側装着部は、前記係止部材が前記係止溝に係合している状態において前記ガイド溝の側壁面に係合する位置に移動することにより、前記係止部材が前記ガイド溝の位置に回転移動することを規制するストッパ部材を備えた、
ことを特徴とする撮影レンズにおける前面アクセサリの着脱機構。
【請求項２】
前記ストッパ部材は、操作ネジの回転により前記ガイド溝の底面に当接する向きと、前記ガイド溝の底面から離間する向きとに移動し、前記ガイド溝の底面に当接する向きに移動することにより前記ガイド溝の側壁面に係合する位置に移動し、前記ガイド溝の底面から離間する向きに移動することにより前記ガイド溝の側壁面に係合しない位置に移動することを特徴とする請求項１の撮影レンズにおける前面アクセサリの着脱機構。
【請求項３】
前記鏡胴側装着部は、前記係止溝に前記係止部材の周方向への回転移動を規制する突起を備えたことを特徴とする請求項１、又は、２の撮影レンズにおける前面アクセサリの着脱機構。
【請求項４】
前記係止部材と該係止部材と係合する前記係止溝とが複数箇所に設けられ、前記ストッパ部材は複数のガイド溝のうちのいずれか１つのガイド溝の側壁面に係合する１つのみが設けられたことを特徴とする請求項１、２、又は、３の撮影レンズにおける前面アクセサリの着脱機構。
【請求項５】
前記前面アクセサリは、撮影レンズの焦点距離を変更する補助レンズであることを特徴とする請求項１、２、３、又は、４の撮影レンズにおける前面アクセサリの着脱機構。
【発明の詳細な説明】
【技術分野】
【０００１】
本発明は、撮影レンズにおける前面アクセサリの着脱機構に係り、特に撮影レンズのレンズ鏡胴の前面に装着されるワイドコンバータ等の補助レンズの脱落を確実に防止することができる撮影レンズにおける前面アクセサリの着脱機構に関する。
【背景技術】
【０００２】
従来、ＥＮＧカメラ等の業務用ハンディカメラに用いられる撮影レンズ（ズームレンズ）は、前玉繰り出しと呼ばれる方式、即ち、前玉のフォーカスレンズ群全体を繰り出してフォーカシングを行うのが一般的であったが、近年の更なる小型化、軽量化の下、インナーフォーカス式のズームレンズが広く用いられるようになっている。
【０００３】
このようなインナーフォーカス式ズームレンズでは、レンズ鏡胴の内部には光学系を構成する各種レンズ等が保持されており、その後端部には、カメラ本体に対して例えばバヨネット方式により着脱可能に装着されるマウントが設けられ、レンズ鏡胴の外周部（レンズ鏡胴の各種構成部材を支持する鏡胴本体の外周部）には、内部に保持したフォーカス用のレンズ（フォーカスレンズ群）、ズーム用のレンズ（変倍レンズ群）、絞り等にメカ的に連結されてそれらを駆動するための操作リングが回動可能に設けられている。尚、本明細書では、フォーカスレンズ群、変倍レンズ群、絞りの各々を駆動するための操作リングをフォーカスリング、ズームリング、アイリスリングというものとする。
【０００４】
また、レンズ鏡胴の先端部には各種前面アクセサリを装着するためのネジ部が設けられており、前面アクセサリに形成されたネジ部をレンズ鏡胴のネジ部に螺合させることで、前面アクセサリがレンズ鏡胴の先端部に取り付けられるようになっている（例えば、特許文献１参照）。レンズ鏡胴に装着可能な前面アクセサリとしては、レンズフード、ワイドコンバータレンズ、テレコンバータレンズ等がある。このような前面アクセサリの着脱機構によれば、容易に撮影レンズの前面に着脱でき、撮影レンズの口径等の規格にあったものであれば複数の撮影レンズに共用することもできるという利点がある。
【先行技術文献】
【特許文献】
【０００５】
【特許文献１】特開平９−２１１３０３号公報
【発明の概要】
【発明が解決しようとする課題】
【０００６】
しかしながら、ワイドコンバータレンズやテレコンバータレンズ等の補助レンズはレンズフードに比べて重量が重いため、特許文献１に開示されるような前面アクセサリの着脱機構ではレンズ鏡胴の先端部に補助レンズが装着されると、その自重によってネジ部がゆるみやすく、補助レンズとレンズ鏡胴の光軸に位置ずれを招き、最悪の場合には補助レンズが脱落してしまう恐れがある。
【０００７】
一方、スナップイン方式のようにネジを使用せずに前面アクセサリをレンズ鏡胴に着脱する着脱機構も考えられる。しかしながら、着脱を可能にする必要性から装着力を強くするには限度があり、前面アクセサリの重量が重い場合には、振動、衝撃、加減速動作、手等の意図しない接触などによって前面アクセサリが脱落してしまう恐れがある。
【０００８】
本発明は、このような事情に鑑みてなされたもので、前面アクセサリの重量が重い場合でも、確実にレンズ鏡胴からの前面アクセサリの脱落を防止することができる撮影レンズにおける前面アクセサリの着脱機構を提供することを目的とする。
【課題を解決するための手段】
【０００９】
前記目的を達成するために、請求項１に係る撮影レンズにおける前面アクセサリの着脱機構は、撮影レンズのレンズ鏡胴の先端部に設けられた鏡胴側装着部と、前面アクセサリの後端部に設けられたアクセサリ側装着部とからなり、前記鏡胴側装着部と前記アクセサリ側装着部とを着脱することにより、前記前面アクセサリを前記レンズ鏡胴の先端部に着脱可能にした撮影レンズにおける前面アクセサリの着脱機構において、前記アクセサリ側装着部は、アクセサリ側筒体と、該アクセサリ側筒体の内周面側に突出形成された係止部材と、を有し、前記鏡胴側装着部は、前記アクセサリ側筒体の内側に配置される鏡胴側筒体と、該鏡胴側筒体の外周面の周方向に形成され、前記係止部材と係合して前記係止部材を係止する係止溝と、前記鏡胴側筒体の外周面に形成され、前記鏡胴側筒体の先端面から前記係止溝まで延在する溝であって、前記係止部材を前記撮影レンズの光軸方向に移動させて前記係止溝まで導くガイド溝と、を有し、前記係止部材が前記ガイド溝を移動した後、周方向に回転して前記係止溝に係合することにより前記前面アクセサリが前記レンズ鏡胴の先端部に装着されると共に、前記アクセサリ側装着部は、前記係止部材が前記係止溝に係合している状態において前記ガイド溝の側壁面に係合する位置に移動することにより、前記係止部材が前記ガイド溝の位置に回転移動することを規制するストッパ部材を備えた、ことを特徴としている。
【００１０】
本発明によれば、前面アクセサリを回転させて係止部材を周方向に回転移動させることによって、レンズ鏡胴の係止溝に係合させて前面アクセサリをレンズ鏡胴の先端部に装着することができ、これとは反対に前面アクセサリを回転させることによってレンズ鏡胴から前面アクセサリを取り外すことができる。一方、係止部材が係止溝に係合している状態において、即ち、前面アクセサリがレンズ鏡胴に装着されている状態において、ストッパ部材をガイド溝の側壁面に係合させることによって、係止部材の周方向の回転移動が規制され、前面アクセサリをレンズ鏡胴から取り外せない状態（ロック状態）となる。このロック状態により、前面アクセサリの重量が重い場合でも振動や衝撃等によって前面アクセサリがレンズ鏡胴から脱落してしまうという不測の事態を防止することができる。また、ストッパ部材が係合するガイド溝は、係止部材を係止溝に案内するために設けられたものを兼用したものであり、レンズ鏡胴側の構造がストッパ部材を有する前面アクセサリを想定しないものであっても本発明を適用することができる。
【００１１】
請求項２に係る撮影レンズにおける前面アクセサリの着脱機構は、請求項１に係る発明において、前記ストッパ部材は、操作ネジの回転により前記ガイド溝の底面に当接する向きと、前記ガイド溝の底面から離間する向きとに移動し、前記ガイド溝の底面に当接する向きに移動することにより前記ガイド溝の側壁面に係合する位置に移動し、前記ガイド溝の底面から離間する向きに移動することにより前記ガイド溝の側壁面に係合しない位置に移動することを特徴としている。
【００１２】
本発明は，ストッパ部材をロック状態とロック解除状態との移動させる手段として操作ネジを使用した態様を示す。ただし、必ずしもネジ機構を利用したものでなくてもよい。
【００１３】
請求項３に係る撮影レンズにおける前面アクセサリの着脱機構は、請求項１、又は、２に係る発明において、前記鏡胴側装着部は、前記係止溝に前記係止部材の周方向への回転移動を規制する突起を備えたことを特徴としている。
【００１４】
本発明は、ストッパ部材を設けなくても、前面アクセサリが容易にはレンズ鏡胴から外れないようにした機構であるが、この場合においても、前面アクセサリの重量が重いと、脱落する可能性があるためストッパ部材によるロック機構を備えることは有益である。
【００１５】
請求項４に係る撮影レンズにおける前面アクセサリの着脱機構は、請求項１、２、又は、３に係る発明において、前記係止部材と該係止部材と係合する前記係止溝とが複数箇所に設けられ、前記ストッパ部材は複数のガイド溝のうちのいずれか１つのガイド溝の側壁面に係合する１つのみが設けられたことを特徴としている。
【００１６】
本発明は、ストッパ部材は、主として回転方向への動作を規制するものであり、その抑止力は、前面レンズの重量に大きくは作用されないため、１つ備えていれば十分であることを示す。
【００１７】
請求項５に係る撮影レンズにおける前面アクセサリの着脱機構は、請求項１、２、３、又は、４に係る発明において、前記前面アクセサリは、撮影レンズの焦点距離を変更する補助レンズであることを特徴としている。即ち、焦点距離を変更するような補助レンズはレンズの重量が重く、また、光軸の精度を保つために金属の保持枠を使用することが多いため、そのような補助レンズにおいて本発明を適用すると特に有効である。
【発明の効果】
【００１８】
本発明によれば、前面アクセサリの重量が重い場合でも、確実にレンズ鏡胴からの前面アクセサリの脱落を防止することができる。
【図面の簡単な説明】
【００１９】
【図１】本発明が適用される撮影レンズの外観構成を示した上面図
【図２】レンズ鏡胴から前面アクセサリを取り外した状態を示し、レンズ鏡胴の先端部に設けられる鏡胴側装着部と、任意の種類の前面アクセサリの後端部に設けられるアクセサリ側係合部とを拡大して示した図が拡大して示されている。ＡＦ用撮像素子の光路長差を説明するための図
【図３】鏡胴側装着部の係合部を示した斜視図
【図４】アクセサリ側装着部の係止爪及び凹部を示した斜視図
【図５】アクセサリ側装着部を鏡胴側装着部に装着した状態を示した断面図
【図６】図１の撮影レンズにおいてレンズフードの代わりにワイドコンバータを装着した状態を示した上面図
【図７】ワイドコンバータの構成を示した断面図
【図８】アクセサリ装着部のロック機構の構成を示した斜視図
【図９】ロック機構のロック解除状態を示した断面図
【図１０】ロック機構のロック状態を示した断面図
【図１１】ロック機構のストッパの外観を示した斜視図
【図１２】ロック機構のロック状態でのストッパとガイド溝との係合状態を示した斜視図
【発明を実施するための最良の形態】
【００２０】
以下、添付図面に従って本発明に係る撮影レンズにおける前面アクセサリの着脱機構の形態について詳述する。
【００２１】
図１は、本発明が適用される撮影レンズの外観構成を示した上面図である。
【００２２】
同図に示す撮影レンズ２は、放送用又は業務用として取材などで携帯されるＥＮＧカメラ等のカメラ装置に後端のマウント部１８により着脱可能に装着されるレンズ装置であり、主としてレンズ鏡胴４と駆動ユニット２０とから構成されている。
【００２３】
レンズ鏡胴４は、前方側（対物側）から入射される被写体光を集光してカメラ装置の撮像面に被写体像を結像する撮影光学系を内部に保持しており、その撮影光学系の構成部品として、フォーカスレンズ（群）、ズームレンズ（群）、絞り、リレーレンズ（群）等を備えている。
【００２４】
また、レンズ鏡胴４は、外周部に回動可能なフォーカスリング１０、ズームリング１２、アイリスリング１４を備えており、フォーカスリング１０を回動操作すると、前記フォーカスレンズが光軸に沿って前後移動してピント位置が変化し、ズームリング１２を回動操作すると、前記ズームレンズが光軸に沿って前後移動して焦点距離が変化し、アイリスリング１４を回動操作すると、前記絞りが開閉動作して絞り値が変化するようになっている。更に同図のレンズ鏡胴４は、後部にエクステンダー１６を備えており、図示しないレバーを回動操作することによって像倍率を例えば１倍と２倍とで切り替えることができるようになっている。
【００２５】
駆動ユニット２０は、レンズ鏡胴４の側部に取り付けられており、その駆動ユニット２０のケーシング内部には、レンズ鏡胴４のフォーカスリング１０、ズームリング１２、アイリスリング１４の各々に係合したモータや各モータを駆動制御する回路部品等が内蔵されている。また、説明を省略するが駆動ユニット２０のケーシングの外面にはレンズ操作のための各種操作部材が設けられている。
【００２６】
次に、上記撮影レンズ２における前面アクセサリの着脱機構について説明する。
【００２７】
図１のレンズ鏡胴４の先端部には、撮影画角外からの光を遮断するレンズフード３０が取り付けられている。レンズフード３０は前面アクセサリの一種としてレンズ鏡胴４から着脱できるようになっており、ユーザは、レンズフード３０の代わりに他の種類の前面アクセサリをレンズ鏡胴４の先端部に装着することができるようになっている。
【００２８】
レンズフード３０以外の前面アクセサリとしては、例えば、撮影光学系の焦点距離を所定倍率分、広角側にシフトさせるワイドコンバータや、撮影光学系の焦点距離を所定倍率分、望遠側にシフトさせるテレコンバータ、画面のアスペクト比を１６：９から４：３にしたときに変化する画像サイズを本来のサイズにするレシオコンバータなどが提供されている。
【００２９】
これらの前面アクセサリとレンズ鏡胴４とは、前面アクセサリ側に設けられた装着部（アクセサリ側装着部と称す）と、レンズ鏡胴４の先端に設けられた装着部（鏡胴側装着部と称す）とからなる着脱機構によって着脱できるようになっており、アクセサリ側装着部は、交換可能とする任意の種類の前面アクセサリにおいて同一の基本構造を有して形成され、鏡胴側装着部も、それらの前面アクセサリを装着可能とする任意の種類のレンズ鏡胴において同一の基本構造を有して形成されている。
【００３０】
図２は、レンズ鏡胴４から前面アクセサリを取り外した状態を示し、レンズ鏡胴４の先端部に設けられる上記の鏡胴側装着部４０と、任意の種類の前面アクセサリの後端部に設けられる上記のアクセサリ側装着部６０とを拡大して示している。
【００３１】
ここで、本明細書における使用する向きについて用語を説明すると、レンズ鏡胴４や前面アクセサリにおいて、想定位置に対して対物側の向き及び位置範囲を「前」、その反対の向き及び位置範囲を「後」とする。想定位置に対してレンズ鏡胴４の中心軸（光軸）や前面アクセサリの中心軸（光軸）から離れる向き及び位置範囲を「外」、その反対の向き及び位置範囲を「内」とする。また、レンズ鏡胴４の中心軸や前面アクセサリの中心軸を中心とする周面の周方向に沿った位置に関して、想定位置に対して、前方から見たときに時計回りとなる向き及び位置範囲を「ＣＷ」、その反対の向き及び位置範囲を「ＣＣＷ」とする。ただし、適宜図面上での方向も使用して説明する。
【００３２】
鏡胴側装着部４０は、レンズ鏡胴４の先端部に円筒状に突出形成された円筒部４２と、その外周面上において例えば等間隔の３箇所に同一構造で形成された係合部４４とを有している。同図の係合部４４は複数の係合部のうちの１つ示す。
【００３３】
円筒部４２は、係合部４４が設けられる部分以外において一様な（同一径の）円筒状の面（円筒面）を外周面として有している。以下において、円筒部４２の外周面又は円筒面という場合にはその一様な円筒面を示す。
【００３４】
係合部４４は、図３の斜視図でも示すようにガイド溝４６、係止溝４８、及び、係止突起５０とから構成されている。
【００３５】
ガイド溝４６及び係止溝４８は、円筒部４２の外周面上に形成された凹状の溝であり、ガイド溝４６は、円筒部４２の先端面４２Ａの位置から後側に向けて形成され、係止溝４８は、ガイド溝４６の後端位置からＣＷ側に向けて形成されている。
【００３６】
係止突起５０は、ガイド溝４６と係止溝４８の連結部分において、係止溝４８の底面から外向きに突出形成されており、ガイド溝４６側、即ち、ＣＣＷ側の面５０Ａがテーパ面で形成されている。尚、係止溝４８から係止突起５０を除いた部分を係止溝４８と称するものとする。
【００３７】
一方、アクセサリ側装着部６０は、図２に示すように前面アクセサリの後端部に後向きに突出形成された円筒部６２と、その内周面上において同一構造で形成された複数の凹部６４と、各凹部６４に配置された複数の係止爪６６とを有している。同図の凹部６４及び係止爪６６は複数の凹部及び係止爪のうちの１つを示す。また、同図のアクセサリ側装着部６０における実線は、円筒部６２の内周面上での部材の輪郭を示す。
【００３８】
円筒部６２は、上記鏡胴側装着部４０への装着時に鏡胴側装着部４０の円筒部４２の外側に嵌合されると共に、円筒部４２の外周面と略等しい径（僅かに大きな径）の内周面を有している。尚、円筒部６２は凹部６４及び係止爪６６が設けられる部分以外において一様な（同一径の）円筒状の面（円筒面）を内周面として有しており、以下において、円筒部４２の内周面又は円筒面という場合にはその一様な円筒面を示す。
【００３９】
凹部６４は、図４の斜視図にも示すように円筒部６２の内周面において外側に凹状に窪む穴（溝）であり、上記鏡胴側装着部４０の各係合部４４に対応した位置（係合部４４と同数（例えば３つ）及び同間隔）に形成されている。この凹部６４に係止爪６６が配置されている。
【００４０】
係止爪６６は、板状体６８と係止突起７０とから形成されている。板状体６８は、円筒部６２の内周面を形成する部材に一体形成されて凹部６４内にＣＷ向きに突出配置されており、板状体６８の内側の面が円筒部６２の内周面に沿うような形状及び位置に配置されている。また、板状体６８の外側の面は、凹部６４の全ての壁面から離間しており、板状体６８は、円筒部６２の部材に連結された一端を基点にして弾性変形可能な状態に支持されている。
【００４１】
係止突起７０は、板状体６８の内側の面に内向きに突出形成されており、円筒部６２の内周面の位置よりも内側に突出した状態に配置される。係止突起７０の内向きへの高さ（突出量）は、前面アクセサリの中心軸と、レンズ鏡胴４の中心軸とを一致させた状態において、鏡胴側装着部４０の円筒部４２の外周面よりも内側の位置に突出する高さに形成されている。係止突起７０の周方向の長さ（幅）は、鏡胴側装着部４０の係止溝４８と略等しい長さ（幅）に形成されている。尚、鏡胴側装着部４０の係止溝４８の周方向の幅は、少なくとも係止爪６６の係止突起７０よりも大きな幅で形成されている。また、係止突起７０の後側の面７０Ａと、係止爪６６の基端側（ＣＣＷ側）の面７０Ｂはテーパ面で形成されている。
【００４２】
以上の如く構成された鏡胴側装着部４０とアクセサリ側装着部６０とによる前面アクセサリの着脱機構によれば、以下の操作によって所望の前面アクセサリをレンズ鏡胴４に装着することができる。まず、操作者は、前面アクセサリの中心軸をレンズ鏡胴４の中心軸に合わせ、前面アクセサリを軸周りに回転させて前面アクセサリのアクセサリ側装着部６０に設けられた複数の係止爪６６の係止突起７０の位置と、レンズ鏡胴４の鏡胴側装着部４０に設けられた複数の係合部４４のガイド溝４６の位置とを合致させる。このとき、アクセサリ側装着部６０の係止爪６６の外側への微小の弾性変形によって、鏡胴側装着部４０の円筒部４２のガイド溝４６に進入できる状態となる。尚、鏡胴側装着部４０の円筒部４２の先端面４２Ａと当接する係止爪６６の係止突起７０と面７０Ａ（係止突起７０の後側の面７０Ａ）はテーパ面で形成されており、ガイド溝４６に進入しやすいようになっている。
【００４３】
続いて、操作者は、前面アクセサリをレンズ鏡胴４側に押し込む。これによって、アクセサリ側装着部６０の係止突起７０が鏡胴側装着部４０のガイド溝４６を進行し、アクセサリ側装着部６０の円筒部６２が鏡胴側装着部４０の円筒部４２の外側に覆い被さる状態に嵌め込まれる。そして、前面アクセサリをレンズ鏡胴４側にそれ以上押し込むことができなくなるまで、即ち、アクセサリ側装着部６０の係止突起７０が、鏡胴側装着部４０のガイド溝４６の後端に到達するまで、前面アクセサリをレンズ鏡胴４側に押し込む。
【００４４】
次いで、操作者は、前面アクセサリをＣＷ向きに回転可能な位置まで回転させる。このとき、アクセサリ側装着部６０の係止突起７０は、鏡胴側装着部４０の係合部４４のガイド溝４６と係止溝４８の間に設けられた係止突起５０に当接するが、係止爪６６が外側に弾性変形することによって、係止突起５０を乗り越えた後、係止爪６６が元の弾性変形の状態に戻ると共に、係止溝４８に嵌合して係止された状態となる。尚、係止爪６６の係止突起７０が係止突起５０を乗り越える際に当接する係止突起５０の面５０Ａ（係止突起５０のＣＣＷ側の面５０Ａ）はテーパ面で形成されているため、係止突起７０の回転移動が完全に規制されることなく適度な回転力を加えることによって係止突起５０を乗り越えられるようになっている。
【００４５】
以上の操作により、鏡胴側装着部４０とアクセサリ側装着部６０とが装着され、前面アクセサリがレンズ鏡胴４の先端部に装着された状態となる。図５は、鏡胴側装着部４０とアクセサリ側装着部６０の装着状態において、レンズ鏡胴４（及び前面アクセサリ）の中心軸を含み、且つ、アクセサリ側装着部６０の係止爪６６を通過する平面での断面図を示す。同図に示すようにアクセサリ側装着部６０の円筒部６２は、鏡胴側装着部４０の円筒部４２の外側を覆う状態に嵌め込まれ、アクセサリ側装着部６０の係止爪６６の係止突起７０が、鏡胴側装着部４０の係止溝４８に係合した状態となる。
【００４６】
このとき、鏡胴側装着部４０に対するアクセサリ側装着部６０の前向きへの移動及びガタは、係止突起７０の前側の面と係止溝４８の前側の面とが当接した状態となることにより規制される。
【００４７】
また、鏡胴側装着部４０に対するアクセサリ側装着部６０の後向きへの移動及びガタは、アクセサリ側装着部６０の円筒部６２の後端が、鏡胴側装着部４０の円筒部４２の基端に環状に形成された隆起部４３に当接した状態となることにより規制される。
【００４８】
一方、鏡胴側装着部４０に対するアクセサリ側装着部６０の周方向（ＣＷ向き及びＣＣＷ向き）への回転移動及びガタは、係止爪６６の係止突起７０の周方向の両端面が、図２及び図３に示されている係止溝４８の端部（ＣＷ側の端部）と係止突起５０に当接した状態となることにより規制される。
【００４９】
従って、鏡胴側装着部４０とアクセサリ側装着部６０とが装着された状態では、レンズ鏡胴４に対して前面アクセサリが規定の位置に固定されると共に、容易には離脱しない状態に固定されるようになる。
【００５０】
前面アクセサリをレンズ鏡胴４から取り外す場合には、装着時とは逆の手順の操作を行えばよく、前面アクセサリをＣＣＷ向きに比較的大きな力を加えて回転させる。そして、前面アクセサリの係止突起７０が鏡胴側装着部４０の係止突起５０を乗り越えた後、前面アクセサリを前方に引き出せばよい。尚、係止爪６６の係止突起７０が係止溝４８に係止されている状態において係止突起５０に当接している係止突起７０の面７０Ｂ（係止突起７０のＣＣＷ側の面７０Ｂ）はテーパ面で形成されているため、係止突起７０の回転移動が完全に規制されることなく適度な回転力を加えることによって係止突起５０を乗り越えられるようになっている。
【００５１】
次に、上記前面アクセサリの着脱機構において、前面アクセサリの脱落防止等にために補助的に設けられるロック機構について説明する。図６は、図１のレンズフード３０の代わりに、例えば、ワイドコンバータ８０を前面アダプタとしてレンズ鏡胴４の先端部に装着した場合の斜視図である。
【００５２】
同図のワイドコンバータ８０のように金属部品や複数のレンズを備えた前面アクセサリはレンズフード３０と比較して重量が重く、上記の着脱機構のみでレンズ鏡胴４に装着した場合には、振動、衝撃、加減速動作等によりレンズ鏡胴４から脱落する恐れがある。そこで、ワイドコンバータ８０のように重量の大きい前面アクセサリには、補助的にロック機構が設けられる。図６のワイドコンバータ８０に設けられているツマミ２００は、そのロック機構のロックをオン／オフするための操作部材であり、撮影操作を阻害しないような位置、及び、手等が誤接触しない位置、例えば、駆動ユニット２０の近傍などに配置することができるようになっている。
【００５３】
図７はワイドコンバータ８０の構成を示し、簡単に説明すると、ワイドコンバータ８０は、アルミ等の金属部材で構成されたレンズ保持枠１００と、レンズ保持枠１００の後端部に連結固定され、例えばアルミ樹脂等の樹脂部材で構成される上記アクセサリ側装着部６０の円筒部６２とを備え、レンズ保持枠１００にレンズ１０２、１０４、１０６が支持されている。円筒部６２には、図２、図４、図５に示したような上記着脱機構の係止爪６６等が設けられている。
【００５４】
図８は、上記のワイドコンバータ８０をレンズ鏡胴４から取り外した状態で後側からアクセサリ側装着部６０の構成を示した斜視図であり、図９、図１０は、ワイドコンバータ８０を上記着脱機構によりレンズ鏡胴４に装着した状態において、ワイドコンバータ８０の中心軸に直交し、且つ、ロック機構の位置を通過する平面での断面図を示す。
【００５５】
図８に示すようにアクセサリ側装着部６０を構成する円筒部６２には上記着脱機構における構成部である凹部６４及び係止爪６６が略等間隔に３カ所（鏡胴側装着部４０における係合部４４の配置も同様）に設けられており、そのうちの１つに隣接するＣＣＷ側の位置にロック機構１８０が設けられている。
【００５６】
ロック機構１８０は、図８乃至図１０に示すように主としてナット保持枠１８２、操作ネジ１８４、ナット１８６、ストッパ収容孔１８８、ストッパ１９０から構成されている。
【００５７】
ナット保持枠１８２は、円筒部６２の外周面から外側に突出する状態に円筒部６２と一体形成されており、内部にナット１８６を収容保持する空間（ナット収容部１９２）を有すると共に、ナット１８６に螺合する操作ネジ１８４のネジ部２０２を挿通する挿通孔１９３を有している。また、ナット収容部１９２は、内部にナット１８６を挿入するための挿入口となる後面部分と、後述のストッパ収容孔１８８との連結部分が開口されている。ナット保持枠１８２の後面には、ネジ穴１９４、１９４が設けられており、ナット収容部１９２にナット１８６を挿入した後にそれらのネジ穴１９４、１９４に螺合されるビス１９６、１９６により、蓋部材１９８がナット保持枠１８２の後面全体を覆うようにして固定される。これによりナット１８６がナット収容部１９２内に保持されるようになっている。
【００５８】
尚、ナット収容部１９２の周方向の幅は、６角ナットであるナット１８６の２面幅よりも大きく、対角距離よりも小さくなっており、ナット収容部１９２に収納されたナット１８６は軸周りの回転が規制される。
【００５９】
操作ネジ１８４は、ツマミ２００と、ネジ部２０２と、先端部２０３とを有している。ツマミ２００は、ネジ部２０２の頭部となる部分に設けられており、ネジ部２０２よりも拡径され、操作ネジ１８４を回転操作する際に操作者がつまむために上記ナット保持枠１８２の外側に配置される。
【００６０】
ネジ部２０２は、ナット保持枠１８２の挿通孔１９３を挿通してのナット収容部１９２に収容されたナット１８６のネジ孔に螺合される。
【００６１】
先端部２０３は、ネジ部２０２よりも先端側に円柱状に突出して形成されており、後述のようにこの先端部２０３にストッパ１９０が回動可能に取り付けられる。
【００６２】
ストッパ収容孔１８８は、円筒部６２の内周面から外周面の位置（ナット収容部１９２）まで貫通する孔であり、円筒部６２の後端面から前方に向けて徐々に周方向の幅が狭くなる形状を有している。尚、ストッパ収容孔１８８の形状は後述のストッパ１９０の形状に略等しい。このストッパ収容孔１８８にストッパ１９０が挿入された後、上記蓋部材１９８がナット保持枠１８２に装着されることにより、ストッパ収容孔１８８の後面側の開口も蓋部材１９８により覆われるようになっている。
【００６３】
ストッパ１９０は、上記のようにストッパ収容孔１８８に収容される。図１１は、ストッパ１９０のみを示した斜視図である。同図に示すようにストッパ１９０は、前壁２０４、後壁２０６、側壁２０８、上壁２１０とにより立体形状を構成しており、各々、隣接する壁と略直交している。尚、前壁２０４と後壁２０６の長さ（上壁２１０に沿った方向の長さ）は相違しており、前壁２０４より後壁２０６の方が長くなっている。そして、このストッパ１９０をストッパ収容孔１８８に収容する場合には、ストッパ収容孔１８８の形状に合わせて、前壁２０４をストッパ収容孔１８８の前側、後壁２０６をストッパ収容孔１８８の後側、上壁２１０をストッパ収容孔１８８の外側に向けて挿入される。
【００６４】
また、ストッパ１９０の上壁２１０には操作ネジ１８４の先端部２０３を挿通する挿通孔２１２が形成されている。そして、図９、図１０のようにストッパ１９０の上壁２１０と操作ネジ１８４のネジ部２０２の先端との間にワッシャ２３０を挟み込んだ状態で操作ネジ１８４の先端部２０３が挿通孔２１２に挿通され、上壁２１０の内側において先端部２０３にＣ型止め輪２３２が取り付けられる。これにより操作ネジ１８４の先端部２０３にストッパが回動可能に取り付けられるようになっている。
【００６５】
更にストッパ１９０の前壁２０４、後壁２０６の各々の端面２１４、２１６（図１１参照）には、段差が形成され、それらの端面２１４，２１６に略直交する同一平面上に係止面２１８、２２０が形成されている。そして、係止面２１８、２２０を含む平面を境にして、図９、図１０のように内側（図中下側）に突出した端面部２２２と外側（図中上側）に凹んだ端面部２２４とが形成されている。これらの係止面２１８、２２０は、後述のようにロック機構１８０をロック状態にした際に、鏡胴側装着部４０のガイド溝４６の側測壁面（立壁）４６Ａ付近に配置されるようになっている。
【００６６】
以上の如く構成されたロック機構１８０の作用について図９及び図１０を用いて説明すると、操作ネジ１８４のツマミ２００を所定方向に回転させると、ナット収容部１９２に保持されたナット１８６と操作ネジ１８４のネジ部２０２との作用により操作ネジ１８４が径方向（外向きと内向きの方向：図中上下方向）に移動する。これによって操作ネジ１８４の先端部２０３に取り付けられたストッパ１９０もストッパ収容孔１８８内で上下方向に移動する。図９のようにストッパ１９０を上昇させてストッパ１９０の端面２１４、２１６を、鏡胴側装着部４０の円筒部４２の外周面から離間させた状態がロック解除状態である。上記着脱機構により、アクセサリ側装着部６０を鏡胴側装着部４０に装着する際、又は、取り外す際には、ロック機構１８０をロック解除状態に設定しておく。
【００６７】
一方、アクセサリ側装着部６０を鏡胴側装着部４０に装着した場合、即ち、アクセサリ側装着部６０の係止爪６６の係止突起７０が、鏡胴側装着部４０の係止溝４８に係合した状態の場合に図１０のように操作ネジ１８４を回転させてストッパ１９０を下降させる。ストッパ１９０は、上記のように前壁２０４と後壁２０６の端面２１４、２１６に形成された段差（係止面２１８、２２０）を境にして、下側に突出した端面部２２２と、その端面部２２２よりも上側に凹んだ端面部２２４とを有している。ストッパ１９０を下降させていくと、端面部２２２が、鏡胴側装着部４０における円筒部４２のガイド溝４６よりもＣＣＷ側（円筒部４２の外周面上）に配置された状態で、端面部２２２がガイド溝４６内の底面に当接する。そして、係止面２１８、２２０がガイド溝４６の側壁面４６Ａ付近に配置される。これによりロック機構１８０は、ロック状態に設定される。図１２は、ロック状態におけるストッパ１９０とガイド溝４６との係合状態を示した斜視図である。同図のようにロック状態では、ガイド溝４６におけるＣＷ側とＣＣＷ側の側壁面のうち係止溝４８が設けられないＣＣＷ側の側測壁面４６Ａにストッパ１９０の係止面２１８、２２０が近接して固定され、アクセサリ側装着部６０のＣＣＷ向きへの回転が規制される。
【００６８】
この回転方向は、アクセサリ側装着部６０の係止爪６６の係止突起７０を鏡胴側装着部４０の係止溝４８からガイド溝４６へと移動させてワイドコンバータ８０をレンズ鏡胴４から取り外す場合の回転方向であり、ロック機構１８０がロック状態でなければ、比較的容易に回転する回転方向である。従って、その回転がロック機構１８０のロック状態によって規制されることにより、レンズ鏡胴４へのワイドコンバータ８０の装着が強固に保持され、ワイドコンバータ８０の不測の脱落が防止されるようになっている。
【００６９】
また、このときロック機構１８０のストッパ１９０を鏡胴側装着部４０の円筒部４２に押圧することによって装着力を増加させているのではなく、主としてワイドコンバータ８０の回転を規制することが目的であるため、ストッパ１９０を円筒部４２に強く押し当てる必要はなく、アクセサリ側装着部６０の円筒部６２の撓み等による精度の悪化なども生じない。また、ストッパ１９０によってワイドコンバータ８０の周方向以外の方向への動きも規制されるため、上記装着機構による装着状態が強化され、周方向以外の方向への振動や衝撃等に対してもワイドコンバータ８０の脱落を防止する効果がある。
【００７０】
尚、  図８乃至図１０に示されているナット保持枠１８２の孔２５０は、駆動ユニット２０等に結び付けた紐などを通しておく孔であり、上記のロック機構１８０をロック状態にするのを忘れてワイドコンバータ８０が脱落してしまう場合や、ロック状態した場合でもワイドコンバータ８０が脱落してしまう場合に備えて、ワイドコンバータ８０が地面に落下するのを防止する予備対策として使用される。
【００７１】
また、鏡胴側装着部４０の複数の係合部４４（ガイド溝４６及び係止溝４８）と、アクセサリ側装着部６０の複数の係止爪６６を、周方向に等間隔に設けるようにした場合には、ロック機構１８０に隣接する係止爪６６を所望の位置の係止溝４８に係合させることが可能であり、その場合には、図６のようにロック機構１８０が駆動ユニット２０の近傍に配置されるような回転位置でワイドコンバータ８０をレンズ鏡胴４に装着すれば、ロック機構１８０が撮影操作等を阻害しない（手などが誤接触しない）ようにすることができる。もし、ワイドコンバータ８０をレンズ鏡胴４に装着する回転位置が決まっている場合には駆動ユニット２０の近傍となる係止爪６６の近傍にロック機構１８０を設ければよい。
【００７２】
また、上記実施の形態では、ロック機構１８０をロック状態にしたときにストッパ１９０の一部がガイド溝４６の底面に当接するようにしたが、ストッパ全体がガイド溝４６の底面に当接するような構造であってもよい。
【００７３】
また、上記実施の形態では、ロック機構１８０をワイドコンバータに設けた場合を示したが、全ての種類の前面アクセサリに設けてもよい。ただし、コストアップ等の問題があるため、重量の軽いレンズフード等のような前面アクセサリにはロック機構を設けず、ワイドコンバータ、テレコンバータ、レシオコンバータのように重量の重い前面アクセサリにのみロック機構を設けると好適である。特に撮影レンズの焦点距離を変更させるワイドコンバータ、テレコンバータ、レシオコンバータのような補助レンズは、重量が重いためロック機構は有益である。
【００７４】
また、上記実施の形態では、鏡胴側装着部４０の係止溝４８に係止突起５０を設けて、係止突起５０により係止爪６６のＣＣＷ向きへの回転移動を規制するようにしたが、全ての前面アクセサリにロック機構を設けるのであれば、係止突起５０を必ずしも設ける必要はない。
【符号の説明】
【００７５】
２…撮影レンズ、４…レンズ鏡胴、４０…鏡胴側装着部、４２…円筒部、４４…係合部、４６…ガイド溝、４８…係止溝、５０…係止突起、６０…アクセサリ側装着部、６２…円筒部、６４…凹部、６６…係止爪、６８…板状体、７０…係止突起、８０…ワイドコンバータ、１８０…ロック機構、１８２…ナット保持枠、１８４…操作ネジ、１８６…ナット、１８８…ストッパ収容孔、１９０…ストッパ、２００…ツマミ、２０２…ネジ部、２０３…先端部、２１８、２２０…係止面、２３０…ワッシャ、２３２…Ｃ型止め輪
【図１】
0005590949.tif 000002
【図２】
0005590949.tif 000003
【図３】
0005590949.tif 000004
【図４】
0005590949.tif 000005
【図５】
0005590949.tif 000006
【図６】
0005590949.tif 000007
【図７】
0005590949.tif 000008
【図８】
0005590949.tif 000009
【図９】
0005590949.tif 000010
【図１０】
0005590949.tif 000011
【図１１】
0005590949.tif 000012
【図１２】
0005590949.tif 000013